(57)【要約】【課題】後付で取り付け可能であり、熱交換器の洗浄が確実かつ自動的に行われ、これを常に清浄な状態に保持し得ること。【解決手段】空気調和機１の熱交換器２の内外の側面上部に沿って配する洗浄液噴霧管３ａ１、３ｂ１と、これらに洗浄液を供給する洗浄液供給部４とで構成する。洗浄液噴霧管３ａ１、３ｂ１は、熱交換器２の内側上部に配するものと外側上部に配するものとからなり、各々その長さ方向に沿ったスリット３ａ１ｓ、３ｂ１ｓが形成してある。洗浄液供給部４は、洗浄液収容用のタンク４ａと、タンク４ａと洗浄液噴霧管３ａ１、３ｂ１とを繋ぐ洗浄液供給用配管４ｂと、洗浄液供給用配管４ｂの途中に挿入したポンプ装置４ｃと、その動作を制御する制御部４ｄとで構成したものである。【選択図】  図１
2009250565.tif 000002
【特許請求の範囲】
【請求項１】
熱交換器の側面に洗浄液を噴霧すべく、該熱交換器の側面に近接して配する洗浄液噴霧管と、
前記洗浄液噴霧管に洗浄液を供給する洗浄液供給部であって、洗浄液収容用のタンク、該タンクと該洗浄液噴霧管とを繋ぐ洗浄液供給用配管及び該洗浄液噴霧管と該タンクとの間のいずれかの部位に配する該タンク中の洗浄液を該洗浄液噴霧管に供給するポンプ装置からなる洗浄液供給部と、で構成した熱交換器用自動洗浄装置。
【請求項２】
前記洗浄液噴霧管の洗浄液噴霧ノズルを、該洗浄液噴霧管の長さ方向に沿いかつ前記熱交換器側を向いた洗浄液噴霧スリットに構成した請求項１の熱交換器用自動洗浄装置。
【請求項３】
前記洗浄液供給部に、そのポンプ装置の動作を制御する制御部を付設し、該制御部が、前記熱交換器の下方に位置するドレンパンのドレンを排出するドレンポンプから、これが排出動作をしていない旨のドレンポンプ信号を受けた場合には、該制御部が、前記ポンプ装置をその洗浄液供給動作を停止させるべく制御するように構成した請求項１又は２の熱交換器用自動洗浄装置。
【請求項４】
前記洗浄液供給部に、そのポンプ装置の動作を制御する制御部を付設し、
他方、前記熱交換器の下部に位置するドレンパンに液面センサを配し、
前記制御部を、これが、前記液面センサから前記ドレンパンに於けるドレンの液面レベルが所定レベル以上になったことを示す検出信号出力を受けると、前記洗浄液供給部のポンプ装置の洗浄液供給動作を停止させるべく制御することとなるように構成した請求項１又は２の熱交換器用自動洗浄装置。
【請求項５】
前記洗浄液噴霧管を、前記熱交換器の両側面上部に沿って配した請求項１、２、３又は４の熱交換器用自動洗浄装置。
【発明の詳細な説明】
【技術分野】
【０００１】
本発明は、種々のタイプの空気調和機や冷凍機等の熱交換器に取り付けて該部位に付着した塵埃等を洗浄する後付タイプの熱交換器用自動洗浄装置に関するものである。
【背景技術】
【０００２】
空気調和機は、基本的にエアフィルタ、熱交換器及び送風用ファンを備え、室内の空気を吸い込み口から吸い込んで該エアフィルタ及び熱交換器を通じて冷却又は加温されて吹出口から吹き出されるようになっているのが普通である。冷凍機も基本的な構成は同様である。吸い込まれた空気中の塵埃はエアフィルタで除去されることになっているが、細かなものはこれを通過し、熱交換器のフィンに付着するもの、或いは該熱交換器を通過して吹出口から吹き出されるものもある。
【０００３】
塵埃が熱交換器のフィンに付着すると、徐々に堆積して熱交換効率が低下し、更に通風経路の通風を阻害するようになり、性能が低下することになる。また同時に人体に有害なダニや黴びの発生の原因となり、不快な臭気の発生その他の問題が生じるに至る。熱交換器で生じるドレンにこれらが混入してドレンパンに流下した場合、これを放置すると、ドレンパン内部でもカビの発生等が甚だしくなり、その内部はどぶのような極めて不衛生な状態となってしまう。
【０００４】
このような問題に対処する手段として、特許文献１の空気調和機がある。
これは、壁掛け型の空気調和機に於いて、その熱交換器の表面側或いは裏面側にスプレーノズルを設け、かつ、熱交換器のほぼ全幅に渡り、液体をスプレーできる位置に可動式のスプレーノズル、或いは、固定式スプレーノズルを設け、液体をスプレーする直前の洗浄のタイミングに同期して作動する可動式の防滴カバーを具備したものである。
【０００５】
この空気調和機は、熱交換器の洗浄を行うものであり、これによって前記のような問題を回避できることになる。ただし、この空気調和機は壁掛け型であり、熱交換器が室内送風用ファンの側方から上方に位置しており、更に洗浄液の噴霧の仕方の関係から、防滴カバーを必要とし、更にこれを洗浄動作時に動かすという厄介な構成となっている。
【０００６】
また天吊りタイプの空気調和機に関しては特許文献２の熱交換器洗浄装置及び空気調和機がある。
これは、洗浄液を収容するタンクと、タンクから導かれる洗浄液を内部に流し、熱交換器の各フィンを貫く洗浄管により洗浄液を拭き掛ける吹き掛け手段とを備え、
該洗浄管が、該熱交換器のフィンの上部を貫くように配され、かつ該洗浄管が洗浄液を拭き掛けるための複数の穴又はノズルを備えたものである熱交換器洗浄装置である。更にはこの熱交換器洗浄装置を備えた空気調和機である。
【０００７】
この熱交換器洗浄装置は、空気調和機の熱交換器を良好に洗浄できるものと思われるが、熱交換器に後付で備え付けることはできない。従って既に設置してある多くの空気調和機にはこれを用いることができない問題がある。
【０００８】
【特許文献１】特開平１１−３３７１０５号公報
【特許文献２】特開２００１−３５５９９６号公報
【発明の開示】
【発明が解決しようとする課題】
【０００９】
本発明は、種々のタイプの空気調和機や冷凍機等の熱交換器に後付で取り付け可能であり、熱交換器の洗浄が確実かつ自動的に行われ、これを常に清浄な状態に保持し、黴びやダニの発生を回避し、常に衛生的に保持できるようにし得る熱交換器用自動洗浄装置を提供することを解決の課題とする。
【課題を解決するための手段】
【００１０】
本発明の１は、熱交換器の側面に洗浄液を噴霧すべく、該熱交換器の側面に近接して配する洗浄液噴霧管と、
前記洗浄液噴霧管に洗浄液を供給する洗浄液供給部であって、洗浄液収容用のタンク、該タンクと該洗浄液噴霧管とを繋ぐ洗浄液供給用配管及び該洗浄液噴霧管と該タンクとの間のいずれかの部位に配する該タンク中の洗浄液を該洗浄液噴霧管に供給するポンプ装置からなる洗浄液供給部と、で構成した熱交換器用自動洗浄装置である。
【００１１】
本発明の２は、本発明の１の熱交換器用自動洗浄装置に於いて、前記洗浄液噴霧管の洗浄液噴霧ノズルを、該洗浄液噴霧管の長さ方向に沿いかつ前記熱交換器側を向いた洗浄液噴霧スリットに構成したものである。
【００１２】
本発明の３は、本発明の１又は２の熱交換器用自動洗浄装置に於いて、前記洗浄液供給部に、そのポンプ装置の動作を制御する制御部を付設し、該制御部が、前記熱交換器の下方に配されたドレンパンのドレンを排出するドレンポンプから、これが排出動作をしていない旨のドレンポンプ信号を受けた場合には、該制御部が、前記ポンプ装置をその洗浄液供給動作を停止させるべく制御するように構成したものである。
【００１３】
本発明の４は、本発明の１又は２の熱交換器用自動洗浄装置に於いて、前記洗浄液供給部に、そのポンプ装置の動作を制御する制御部を付設し、
他方、前記熱交換器の下部に位置するドレンパンに液面センサを配し、
前記制御部を、これが、前記液面センサから前記ドレンパンに於けるドレンの液面レベルが所定レベル以上になったことを示す検出信号出力を受けると、前記洗浄液供給部のポンプ装置の洗浄液供給動作を停止させるべく制御することとなるように構成したものである。
【００１４】
本発明の５は、本発明の４の熱交換器用自動洗浄装置に於いて、前記洗浄液噴霧管を、前記熱交換器の両側面上部に沿って配したものである。
【発明の効果】
【００１５】
本発明の１の熱交換器用自動洗浄装置によれば、その洗浄液噴霧管を空気調和機の熱交換器の側面に近接して配して使用するものであり、これによって常時該熱交換器を塵埃の堆積のない清浄な状態に保持し得、それ故、ドレンパンの内部も同様に清浄な状態に保持し得る。従って熱交換器は、熱効率の低下を回避し、熱交換器自体やドレンパン内にカビが発生したりすることに起因する異臭の発生等を回避することができる。衛生状態を良好に保持し、人の健康を害することもない。
【００１６】
洗浄液収容用のタンクに洗浄液を収容させて、ポンプ装置を動作させれば、該タンク中の洗浄液が洗浄液供給用配管を通じて前記洗浄液噴霧管に供給され、該洗浄液噴霧管では、供給された洗浄液が熱交換器の側部に向かって噴霧される。該洗浄液噴霧管は、該熱交換器の側面に近接して上部や中間部等に噴霧すべく配されるので、洗浄液は該熱交換器の側面上部又は途中からその全体にわたって噴霧され、フィンを伝ってその間を流れ落ちることになる。そしてこの間にフィン等に付着していることのある塵埃類を洗い流してドレンパンに流下することになる。ドレンパンに流下した汚れを含んだ洗浄液は、自然流下によってホース等を通じて排除され、或いは、装置に備え付けられているドレンポンプによってドレンパン外に所定のホース等を通じて排除される。
【００１７】
汚れが進んでからでは、汚れはフィン等に固く付着してしまい、洗浄液を噴霧して洗い流すようなことでは、容易に除去できない場合があるが、全く汚れていない段階で、或いは殆ど汚れていない段階で、本発明の１の熱交換器用自動洗浄装置を設置して、使用を開始し、これで熱交換器を、前記のように、洗浄液で洗浄するようにすると、新たに付着しようとする塵埃類の付着を防止し、或いは付着した汚れを容易に除去し得、長期にわたって清浄な状態を保持し得ることになる。またこのような場合は、洗浄液として、濃度の低いそれを使用することが可能であり、このように濃度の低い洗浄液を使用することによって、リンスを行わなくても洗浄部位に障害を与える虞を生じさせないようにすることができる。
【００１８】
こうして本発明の１の熱交換器用洗浄装置によれば、熱交換器が常に清浄な状態に保持できるため、定期的又は不定期的な空気調和機等の清掃としては、簡単に取り外すことが可能であり、特に専門的な技術力を必要としない送風ファンやパネル・フィルターのみを行えば良いことになり、非常に好都合である。
【００１９】
本発明の２の熱交換器用自動洗浄装置によれば、これを空気調和機等の熱交換器の側面上部に近接して配して使用すれば、簡明な構成でありながら、その全体にわたって確実に洗浄液を噴霧することが可能になり、洗い残しを生じさせないようにすることができる。
【００２０】
本発明の３の熱交換器用自動洗浄装置によれば、ドレンポンプが備えられている装置に使用した場合に、該ドレンポンプがドレンの排出動作をしている場合にのみ、前記ポンプ装置が、タンクの洗浄液を、前記洗浄液噴霧管に供給すべく動作するように制御されるので、ドレンパンの水位が無用に上昇し、その上縁からオーバーフローしてしまうような虞はない。
【００２１】
本発明の４の熱交換器用自動洗浄装置によれば、ドレンポンプが備えられていないタイプの装置に使用するのが適当であり、そのような装置の熱交換器に備え付けて使用した場合、ドレンパンの液面レベルが所定レベル以下の場合にのみ前記ポンプ装置が動作して洗浄液を洗浄液噴霧管に供給するものであるため、ドレンパンに無用に洗浄液が流下してオーバーフローを生じさせるような虞はない。
【００２２】
本発明の５の熱交換器用自動洗浄装置によれば、熱交換器の両側面上部に洗浄液を噴霧して該熱交換器を洗浄するものであるため、熱交換器の全体に対して良好に洗浄液を接触させることが可能であり、洗い残しの生じない良好な洗浄を行うことができる。
【発明を実施するための最良の形態】
【００２３】
本発明は、熱交換器の側面に洗浄液を噴霧すべく、該熱交換器の側面に近接して配する洗浄液噴霧管と、該洗浄液噴霧管に洗浄液を供給する洗浄液供給部であって、洗浄液収容用のタンク、該タンクと該洗浄液噴霧管とを繋ぐ洗浄液供給用配管及び該洗浄液噴霧管と該タンクとの間のいずれかの部位に配する該タンク中の洗浄液を該洗浄液噴霧管に供給するポンプ装置からなる洗浄液供給部と、で構成した熱交換器用自動洗浄装置である。
【００２４】
前記洗浄液噴霧管には、適切な径の銅管等を採用し、洗浄液の噴霧は、管本体に適宜間隔で開口した噴霧口、管本体に適宜間隔で突出させた噴霧ノズル、或いは、管本体の長さ方向に沿って開口した洗浄液噴霧スリットを構成し、これによって行うようにすることができる。該洗浄液噴霧管は、熱交換器が大型の場合は最上部に沿って配すると共に、その途中の高さ位置に沿っても配するのが適当である。
【００２５】
前記洗浄液噴霧管は、熱交換器に近接して適宜取り付けることができる。例えば、その一方の側面の上部に沿って取り付けることができる。或いは両面に上部に沿って取り付けることも可能である。これは、具体的には、機器に於ける熱交換器の配置状態やサイズその他によって種々である。いくつかの例を示すと以下の通りである。
【００２６】
図４に示したのは、天吊りタイプの空気調和機の例であり、この例の場合は、下方の吸い込み口２１からファン２２で吸引された空気が隣室の傾斜状態の熱交換器２３を通じて熱交換された上で反対側の吹出口２４から吹き出されるようになっており、洗浄液噴霧管２５は、同図に示すように、該熱交換器２３の傾斜上面の上部側にその上端に沿った状態で配するのが適当である。なお２６は、ドレンパンであり、ドレンは、該熱交換器２３を伝わって該ドレンパン２６に自然流下するようになっている。
【００２７】
図５に示したのは、床置きタイプの空気調和機の例であり、この例の場合は、中間付近の吸い込み口３１から上方のファン３２によって吸引された空気が、該ファン３２の下方で、該吸い込み口３１の上端と後部下方との間に傾斜状態に配された熱交換器３３を通じて熱交換された上で、該ファン３２側に誘導され、上方の吹出口３４から吹き出されるようになっており、洗浄液噴霧管３５は、同図に示すように、該熱交換器３３の傾斜下面の最上部側にその上端に沿った状態で配するのが適当である。なお３６は、ドレンパンであり、ドレンは、該熱交換器３３を伝わって該ドレンパン３６に自然流下するようになっている。ファン３２によって吸引されているので、途中で滴下するようなことはない。
【００２８】
図６に示したのは、壁掛けタイプの空気調和機の例であり、この例の場合は、最上部のの吸い込み口４１から下方のファン４２によって吸引された空気が、上方の吸い込み口４１と下方のファン４２との間に傾斜状態に配された熱交換器４３を通じて熱交換された上で、下方のファン４２側に誘導され、更に下方の吹出口４４から吹き出されるようになっており、洗浄液噴霧管４５は、同図に示すように、該熱交換器４３の傾斜上面の最上部側にその上端に沿った状態で配するのが適当である。なお４６は、ドレンパンであり、ドレンは、該熱交換器４３を伝わって該ドレンパン４６に自然流下するようになっている。
【００２９】
前記洗浄液供給部に、そのポンプ装置の動作を制御する制御部を付設し、該制御部で、洗浄液の供給を制御するように構成するのが好ましい。この熱交換器用自動洗浄装置を、ドレンパンのドレンをドレンポンプで汲み上げて排出するタイプの機器に取り付ける場合は、該ドレンポンプの動作を監視し、これが排出動作をしていないことが検出された場合は、該制御部に、前記ポンプ装置をその洗浄液供給動作を停止させるべく制御するように構成しておくべきである。
【００３０】
この熱交換器用自動洗浄装置を、ドレンパンのドレンを自然流下させて排出するタイプの機器に取り付ける場合は、該ドレンパンに液面センサを配し、前記制御部に、これが、該液面センサから該ドレンパンのドレンの液面レベルが所定レベル以上になったことを示す検出信号出力を受けた場合に、前記洗浄液供給部のポンプ装置の洗浄液供給動作を停止させるべく制御するように構成しておくのが好ましい。
【００３１】
本発明の熱交換器用自動洗浄装置は、以上のような構成であり、従ってその洗浄液噴霧管を種々の機器の熱交換器の側面に近接して配して使用するものであり、これによって常時該熱交換器を塵埃の堆積のない清浄な状態に保持することができる。そのためドレンパンの内部も同様に清浄な状態に保持できる。従って熱交換器は、熱効率の低下を回避し、熱交換器自体やドレンパン内にカビが発生したりすることに起因する異臭の発生等を回避することができる。衛生状態を良好に保持し、人の健康を害することもない。
【００３２】
洗浄液収容用のタンクに洗浄液を収容させて、ポンプ装置を動作させれば、該タンク中の洗浄液が洗浄液供給用配管を通じて前記洗浄液噴霧管に供給され、該洗浄液噴霧管では、供給された洗浄液が熱交換器の側部に向かって噴霧される。該洗浄液噴霧管は、該熱交換器の側面に近接して上部や中間部等に噴霧すべく配されるので、洗浄液は該熱交換器の側面上部又は途中からその全体にわたって噴霧され、フィンを伝ってその間を流れ落ちることになる。そしてその間にフィン等に付着していることのある塵埃類を洗い流してドレンパンに流下することになる。ドレンパンに流下した汚れを含んだ洗浄液は、自然流下によってホース等を通じて排除され、或いは、機器に備え付けられているドレンポンプによってドレンパン外に所定のホース等を通じて排除される。
【００３３】
汚れが固く固定する前に洗浄するものであるため、比較的濃度の低い洗浄液で能率的に確実な洗浄を行うことができるものである。
また本発明の熱交換器用自動洗浄装置によれば、熱交換器ばかりでなく、ドレンパン及びドレンパンからドレンを排出するために配した配管も又同時に清潔な状態にすることができる。
【実施例１】
【００３４】
この実施例の熱交換器用自動洗浄装置は、図１(a)、(b)、(c)に示すように、空気調和機１の熱交換器２の内外の側面上部に沿って配する洗浄液噴霧管３ａ１、３ａ１、３ｂ１、３ｂ１と、該洗浄液噴霧管３ａ１、３ａ１、３ｂ１、３ｂ１に洗浄液を供給する洗浄液供給部４とで構成したものである。
【００３５】
前記洗浄液噴霧管３ａ１、３ａ１、３ｂ１、３ｂ１は、先に述べ、特に図２及び図３(a)に示すように、熱交換器２の内側上部に配する洗浄液噴霧管３ａ１、３ａ１と外側上部に配する洗浄液噴霧管３ｂ１、３ｂ１とからなり、その基部で以上のように分岐させたものである。これらの洗浄液噴霧管３ａ１、３ａ１、３ｂ１、３ｂ１は、特に図３(b)に示すように、その長さ方向に沿ったスリット（洗浄液噴霧スリット）３ａ１ｓ、３ａ１ｓ、３ｂ１ｓ、３ｂ１ｓが形成してある銅管製の部材である。該スリット３ａ１ｓ、３ａ１ｓ、３ｂ１ｓ、３ｂ１ｓは、それぞれ対応する熱交換器２の内外側面上部に対応させて配した場合に、該熱交換器２の対応する側面上部に向けて僅かに下向きに開口した状態に開口すべきものであり、これによって該洗浄液噴霧管３ａ１、３ａ１、３ｂ１、３ｂ１に供給された洗浄液を対応する熱交換器２の側面上部に噴霧するようにしたものである。
【００３６】
また該洗浄液噴霧管３ａ１、３ａ１、３ｂ１、３ｂ１は、図１(a)、(b)、(c)に示すように、取付金具５、５…で支持し、該取付金具５、５…は、空気調和機１のケーシング１ａの内面に配してある断熱材１ｂにビス５ｃで固定するものである。該取付金具５、５…は、部分円弧状に折曲して形成した管抱持部５ａと、該管抱持部５ａの一方の上端から延長した取付片５ｂとからなり、同図に示すように、該管抱持部５ａに洗浄液噴霧管３ａ１（３ａ１、３ｂ１、３ｂ１）を抱持させ、かつその取付片５ｂを該空気調和機１のケーシング１ａの内面に配してある断熱材１ｂの下面の対応する部位に接合させた上で、該取付片５ｂの結合孔から該断熱材１ｂにビス５ｃをねじ込んでこれを固定するものである。該洗浄液噴霧管３ａ１、３ａ１、３ｂ１、３ｂ１の熱交換器２の両側上部に沿った取り付けは、この実施例では、以上の取付金具５、５…を用いて行うこととしたが、他の手段によることとしても不都合ではない。
【００３７】
前記洗浄液供給部４は、特に図１及び図２に示すように、洗浄液収容用のタンク４ａと、該タンク４ａと前記洗浄液噴霧管３ａ１、３ａ１、３ｂ１、３ｂ１の基部とを繋ぐ洗浄液供給用配管４ｂと、該洗浄液供給用配管４ｂの途中に挿入したポンプ装置４ｃと、該ポンプ装置４ｃの動作を制御する制御部４ｄと、ドレンパン６中に配する液面センサ４ｅとで構成したものである。
【００３８】
前記タンク４ａは、文字通り洗浄液を収容するための容器であり、この実施例では、プラスチックの容器を採用した。
【００３９】
前記洗浄液供給用配管４ｂは、種々条件の異なる場所に設置することを前提として、空気調和機１と洗浄液供給部４の本体との間はフレキシブルなホース類を採用し、該洗浄剤供給部４の本体内は銅管を採用したものである。その径は、前記洗浄液噴霧管３ａ１、３ａ１、３ｂ１、３ｂ１による単位時間当たりの噴霧量を考慮して決定する。
【００４０】
前記ポンプ装置４ｃは、電動によるそれであり、前記洗浄液噴霧管３ａ１、３ａ１、３ｂ１、３ｂ１による単位時間当たりの噴霧量及び前記タンク４ａと対象の空気調和機１との高さの差を考慮して若干余裕を持ったその流量及び揚程を決定する。
【００４１】
前記制御部４ｄは、前記したように、前記ポンプ装置４ａの動作を制御する。該制御部４ｄは、前記液面センサ４ｅからドレンパン６の液面が上端から所定の高さ、例えば、上端から５ｍｍの高さ以上となっていることを示す検出信号を受け取った場合に、前記ポンプ装置４ｃの動作を停止させるべく制御する。それ以外の場合には、前記ポンプ装置４ｃが供給動作をすべく制御する。
【００４２】
前記液面センサ４ｅは、この実施例では、液面に浮かぶフロート４ｅ３と、該フロート４ｅ３が上昇して、所定レベル、即ち、ドレンパン６の上端から５ｍｍの高さのレベルになったところでオンになるスイッチとで構成したものである。外観的には、これらの図示しないスイッチを内装したケース４ｅ１と、該ケース４ｅ１から延びる腕部４ｅ２と、腕部４ｅ２の先端のフロート４ｅ３とからなるものである。
【００４３】
なお、この実施例の熱交換器用自動洗浄装置の適用対象である空気調和機１の室内機の各部の構成を略述する。図１(a)に示すように、これは、中央部を除いて断熱材１ｂを内張した下部開口の箱形のケーシング１ａと、該ケーシング１ａの内面中央に配した電動機７ａ及びこれによって回転されるファン７ｂからなる送風機７と、その直下の吸い込み口８に着脱自在に配したエアフィルタ９と、前記送風機７のファン７ｂの外周方向に配した角筒型の熱交換器２と、その直下に配したドレンパン６と、該熱交換器２の外側の空間から下方に開く吹出口１０とで構成したものである。
【００４４】
前記熱交換器２は、適宜間隔で配した多数のフィン２ａ、２ａ…と、その間を貫く複数の媒体液管２ｂ、２ｂ…とで構成したものであり、この実施例の熱交換器用自動洗浄装置は、該フィン２ａ、２ａ…及び該媒体液管２ｂ、２ｂ…の付着した汚れを除去するものである。
【００４５】
前記ドレンパン６は、前記熱交換機２に生じた結露水を受け取ってこれを装置外に排出するための手段である。このドレンパン６には、排水用の配管が接続してあり、この中に流下した結露水及び洗浄液は、高さの違いにより自然流下するように構成してある。
【００４６】
従ってこの実施例の熱交換器用自動洗浄装置によれば、これを、天吊りタイプの空気調和機１の室内機にセットして使用すれば、常時、その熱交換器２を塵埃の堆積のない清浄な状態に保持し得、これによってドレンパン６の内部及び該ドレンパン６からの排水用の配管も含めて同様に清浄な状態に保持し得ることになる。従って空気調和機１は、熱効率の低下を回避し、その熱交換器２やドレンパン６内にカビが発生したり、ドレン詰まりによる緊急停止等を回避し得、かつ黴びやその他の微生物の発生を防止し得ることに伴い、異臭の発生等をも回避することができる。衛生状態を良好に保持し、人の健康を害する虞も無くすることができる。
【００４７】
この実施例の熱交換器用自動洗浄装置の天吊りタイプの空気調和機１の室内機へのセットは、エアフィルタ９、吸い込み口８の案内部材８ａ及び送風機７のファン７ｂ等を取り外し、更に必要に応じてドレンパン６や熱交換器２を取り外した上で、該熱交換器２の外側上部に近接する位置に前記洗浄液噴霧管３ｂ１、３ｂ１を配し、内側上部に近接する位置に前記洗浄液噴霧管３ａ１、３ａ１を配する。これは、図１(a)、(b)、(c)に示し、且つ先に説明したように、前記取付金具５、５…を用いてケーシング１ａに内張した断熱材１ｂに取り付けることで行う。該取付金具５、５…の管抱持部５ａでそれぞれ洗浄液噴霧管３ａ１、３ａ１、３ｂ１、３ｂ１を抱持し、その取付片５ｂを該断熱材１ｂに当接させた上で、該取付片５ｂの結合孔から該断熱材１ｂにビス５ｃをねじ込んでこれを固定するものである。
【００４８】
また前記液面センサ４ｅは、そのケース４ｅ１でドレンパン６に固設する。そのフロート４ｅ３が該ドレンパン６の上端から５ｍｍの高さまで上昇したところでスイッチがオンとなるように取付位置を決定する。
【００４９】
この後、云うまでもなく、空気調和機１の室内機から外した前記各部材を所定の部位に戻すべく取り付ける。
この熱交換器用自動洗浄装置の洗浄液供給部４のタンク４ａ、ポンプ装置４ｃ及び制御部４ｄは、空気調和機１の室内機から遠くない適当な位置に配置しておく。前記洗浄液供給用配管４ｂを目立たない適切な位置に配し、同様に、前記液面センサ４ｅからの信号線も目立たない位置に配し、該制御部４ｄに接続する。
【００５０】
この後、洗浄液収容用のタンク４ａに低濃度の洗浄液を収容させて、装置を動作させれば、前記制御部４ｄによって、前記液面センサ４ｅからドレンパン６の液面が上端から５ｍｍの高さ以上となっていることを示す検出信号を受け取った場合以外は、前記ポンプ装置４ｃは、これを動作させるべく制御される。
【００５１】
ポンプ装置４ｃが動作すると、前記タンク４ａ中の洗浄液が洗浄液供給用配管４ｂを通じて前記洗浄液噴霧管３ａ１、３ａ１、３ｂ１、３ｂ１に供給され、該洗浄液噴霧管３ａ１、３ａ１、３ｂ１、３ｂ１では、供給された洗浄液が熱交換器２の内外側面に向かって噴霧される。洗浄液噴霧管３ａ１、３ａ１は、該熱交換器２の内側面上部に沿って配されているので、洗浄液は該熱交換器２の内側面上部からその全体（フィン２ａ、２ａ…及び媒体液管２ｂ、２ｂ…）にわたって噴霧され、フィン２ａ、２ａ…を伝ってその間を流れ落ちることになる。洗浄液噴霧管３ｂ１、３ｂ１は、該熱交換器２の外側面上部に沿って配されているので、洗浄液は該熱交換器２の外側面上部からその全体（フィン２ａ、２ａ…及び媒体液管２ｂ、２ｂ…）にわたって噴霧され、同様に、フィン２ａ、２ａ…を伝ってその間を流れ落ちることになる。
【００５２】
そして、該洗浄液は、この間に、フィン２ａ、２ａ…及び媒体液管２ｂ、２ｂ…に付着していることのある塵埃類その他を洗い流してドレンパン６に流下することになる。ドレンパン６に流下した汚れを含んだ洗浄液は自然流下によってドレンパン６外に所定のホース等を通じて排除される。このようにドレンパン６以下の排水系にも洗浄液が流れるので、これらの配水系も同時に洗浄され、清潔な状態を保持し得る。
【００５３】
ポンプ装置４ｃは、前記液面センサ４ｅからドレンパン６の液面が上端から５ｍｍの高さ以上となっていることを示す検出信号を受け取った場合には、制御部４ｄによって動作を停止すべく制御される。従ってドレンパン６がオーバーフローする虞はない。
【００５４】
前記したように、汚れが進んでからでは、汚れはフィン２ａ、２ａ…及び媒体液管２ｂ、２ｂ…に固く付着してしまい、洗浄液を噴霧して洗い流すようなことでは、容易に除去できない場合があるが、汚れていない段階で、この実施例の熱交換器用自動洗浄装置を設置して、使用を開始した場合は、以上のように、洗浄液を噴霧して洗い流す動作を行うことにより、新たに付着しようとする塵埃類は容易に除去し得、長期にわたって清浄な状態を保持し得ることになる。
【００５５】
またこの実施例のように、洗浄液として、低濃度のそれを使用することにより、リンスを行わなくても洗浄部位に障害を与える虞を生じさせないようにすることができる。
【００５６】
こうしてこの実施例の熱交換器用洗浄装置をセットした空気調和機では、定期的又は不定期的な空気調和機１の清掃として、簡単に取り外すことが可能であり、特に専門的な技術力を必要としない送風機７のファン７ｂやエアフィルタ９のみの清掃を行えばよいことになり、非常に好都合である。
【図面の簡単な説明】
【００５７】
【図１】(a)は実施例の空気調和機用洗浄装置をセットした空気調和機の室内機の断面説明図、(b)は、(a)の空気調和機の熱交換器及びドレンパンと、この周辺に配した洗浄液噴霧管及び液面センサを示した拡大断面説明図、(c)は(b)の熱交換器の内側上部に配した洗浄液噴霧管及びこれを固定する取付金具を更に拡大して示した拡大断面図。
【図２】実施例の空気調和機用洗浄装置をセットした空気調和機の熱交換器を取り出して示した説明用概略斜視図。
【図３】(a)は実施例の空気調和機用洗浄装置の洗浄液噴霧管の平面図、(b)は(a)のＡ−Ａ線拡大断面図。
【図４】天吊りタイプの空気調和機の概略側面断面説明図。
【図５】床置きタイプの空気調和機の概略側面断面説明図。
【図６】壁掛けタイプの空気調和機の概略側面断面説明図。
【符号の説明】
【００５８】
１    空気調和機
１ａ  ケーシング
１ｂ  断熱材
２    熱交換器
２ａ  フィン
２ｂ  媒体液管
３ａ１、３ｂ１  洗浄液噴霧管
３ａ１ｓ、３ｂ１ｓ  スリット（洗浄液噴霧スリット）
４    洗浄液供給部
４ａ  タンク
４ｂ  洗浄液供給用配管
４ｃ  ポンプ装置
４ｄ  制御部
４ｅ  液面センサ
４ｅ１  ケース
４ｅ２  腕部
４ｅ３  フロート
５    取付金具
５ａ  管抱持部
５ｂ  取付片
５ｃ  ビス
６    ドレンパン
７    送風機
７ａ  電動機
７ｂ  ファン
８    吸い込み口
８ａ  案内部材
９    エアフィルタ
１０  吹出口
２１  吸い込み口
２２  ファン
２３  熱交換器
２４  吹出口
２５  洗浄液噴霧管
２６  ドレンパン
３１  吸い込み口
３２  ファン
３３  熱交換器
３４  吹出口
３５  洗浄液噴霧管
３６  ドレンパン
４１  吸い込み口
４２  ファン
４３  熱交換器
４４  吹出口
４５  洗浄液噴霧管
４６  ドレンパン
【図１】
2009250565.tif 000003
【図２】
2009250565.tif 000004
【図３】
2009250565.tif 000005
【図４】
2009250565.tif 000006
【図５】
2009250565.tif 000007
【図６】
2009250565.tif 000008